(57)【要約】      （修正有）【課題】容易にノズル板を移動させて交換を行うことができるエア交絡ノズルを提供する。【解決手段】エア交絡ノズルは、殼体、アーム部、上蓋、ノズル板を含み、前記殼体はあらかじめ定めた位置に弾性部が形成され、前記弾性部内係に弾性部材（例：バネ）が設置され、且つ前記弾性部近くの位置に枢着部が形成され、前記殼体上の前記枢着部がピンで前記上蓋及び前記アーム部と相互に枢着され、また前記アーム部の枢着位置近くに斜面が形成され、さらに前記上蓋の一端に前記ノズル板の移動を制御することができる横棒が設置され、前記ノズル板の一端に前記横棒を進入させ前記ノズル板に当接させて移動を行わせるための溝部が形成される。使用者が前記ノズル板を取り出したいときは、上蓋を持ち上げるだけで前記横棒が前記アーム部上の斜面に当接され、さらに前記ピンを支点とした梃子の原理で容易に前記ノズル板を移動させて前記ノズル板の交換を行うことができる。【選択図】図５
0003144632.tif 000002
【実用新案登録請求の範囲】
【請求項１】
殼体、アーム部、上蓋を含むエア交絡ノズルであって、前記殼体はあらかじめ定めた位置に弾性部が形成され、且つ前記弾性部近くの位置に枢着部が形成され、前記アーム部はピンで前記殼体上の前記枢着部と相互に枢着され、前記上蓋は前記ピンで前記アーム部及び前記殼体と相互に枢着され、前記上蓋の一端にノズル板の移動を制御することができる横棒を設置したことを特徴とする、エア交絡ノズル。
【請求項２】
前記アーム部の枢着位置近くに前記横棒を当接させるための斜面を形成したことを特徴とする、請求項１に記載のエア交絡ノズル。
【請求項３】
前記ノズル板の一端に前記横棒を進入させ前記ノズル板に当接させて移動を行わせるための溝部を設けたことを特徴とする、請求項１に記載のエア交絡ノズル。 
【請求項４】
前記弾性部内に弾性部材を設置したことを特徴とする、請求項１に記載のエア交絡ノズル。
【請求項５】
前記弾性部材がバネであることを特徴とする、請求項４に記載のエア交絡ノズル。
【考案の詳細な説明】
【技術分野】
【０００１】
本考案はエア交絡ノズルに関し、特に、上蓋を持ち上げるだけで前記横棒と前記アーム部上の斜面を利用し、前記ピンを支点とした梃子の原理を利用することで前記ノズル板を容易に移動して前記ノズル板の交換を行うことができる、エア交絡ノズルに関する。
【背景技術】
【０００２】
糸の空気処理装置は種類が多く、そのうち、前記処理装置は皆糸処理通路を有し、糸の穿入は開放式ノズルと封鎖式ノズルに分かれており、開放式ノズルを例とすると、糸は狭い孔部を経て自由に前記糸処理通路に穿入または穿出され、封鎖式ノズルを例とすると、糸は前記糸通路を経て直接穿入されるのみである。三つ目の種類の糸処理装置は、機械方式の運動部分について、糸の通路を開放させて糸を穿入させ、糸を入れた後閉じるようにしたもので、これら機械運動は傾斜回転や回転運動を利用しており、これらのソリューションはこれまで廉価な設計として使用されてきたが、ノズル板を外すことができない、あるいは大きな力で取り外すことができるが、往々にして前記ノズル板を破損してしまうことがある、という重大な欠点がある。
【０００３】
これに鑑みて、関連業者はあまり力を入れなくてもノズル板を取り出すことができる糸処理装置を開発しており、前記糸処理装置１は主に殼体１０、アーム部１１、押し棒１２及びノズル板１３から構成され、そのうち前記殼体１０上に弾性部材１０１(例:バネ)が設置され、前記殼体１０上に前記アーム部１１が枢着され、且つ前記アーム部１１のあらかじめ定めた位置に凸部１１１と押圧部１１０が設けられる。これにより、使用者が前記ノズル板１３を取り出すときは、梃子の原理を利用して、前記アーム部１１にあらかじめ定めた方向に内側へ向かう力をかけると、前記アーム部１１上の凸部１１１が前記押し棒１２に当接され、前記押し棒１２が前記弾性部材１０１の圧力を解除し、前記押し棒１２が上に移動して前記ノズル板１３を交換するという目的を達する。
【０００４】
しかしながら、上述の糸処理装置は使用時に次のような問題と欠点が存在するため、改善が必要である。操作者が前記ノズル板１３を交換したいとき、まず前記アーム部１１で前記押し棒１２に対して力をかけ、さらに前記アーム部１１上の凸部１１１が前記押し棒１２に当接されて前記弾性部材１０１の圧力が解除され、このとき前記ノズル板１３を交換する必要があるが、操作者にとってノズル板１３を交換するたびに上述の動作過程を行う必要があるため、時間の浪費隣、作業効率を向上することができない。
【０００５】
このため、上述の従来品の問題と欠点をいかに改善するかが、本考案の考案者と関連産業に従事するメーカーが改善を図る方向性である。
【考案の開示】
【考案が解決しようとする課題】
【０００６】
本考案の考案者は上述の欠点に鑑みて、関連資料を集め、多方面での評価と考慮を経て、関連産業に従事して蓄積した長年の経験に基づき試作と変更を積み重ね、このエア交絡ノズルの開発にいたったものである。本考案の主な目的は、上蓋を持ち上げるだけで横棒とアーム部上の斜面を利用し、前記ピンを支点とした梃子の原理で容易に前記ノズル板を移動させて前記ノズル板の交換を行うことができるエア交絡ノズルを提供することにある。
【０００７】
本考案の別の目的は、操作者が前記ノズル板を交換したいとき、別途工具を必要とせずにノズル板の交換動作を完了することができ、操作者が取り外し用の工具を別途保管しておく必要もなく、ノズル板交換時に梃子の原理を利用して一度に交換動作を完了することができるエア交絡ノズルを提供することにある。
【課題を解決するための手段】
【０００８】
本考案のエア交絡ノズルは、殼体、アーム部、上蓋、ノズル板を含み、そのうち、前記殼体はあらかじめ定めた位置に弾性部が形成され、前記弾性部内に弾性部材（例：バネ）が設置され、且つ前記弾性部近くの位置に枢着部が形成され、前記殼体上の前記枢着部がピンで前記上蓋及び前記アーム部と相互に枢着され、また前記アーム部の枢着位置近くに斜面が形成され、さらに前記上蓋の一端に前記ノズル板を制御して移動させることができる横棒が設置され、前記ノズル板は一端に前記横棒を進入させて前記ノズル板に当接させ移動を行うための溝部が形成され、これにより、使用者が前記ノズル板を取り出したいとき、上蓋を動かすだけで前記横棒を前記アーム部上の斜面に当接させ、前記ピンを支点とした梃子の原理で容易に前記ノズル板を移動させて前記ノズル板の交換を行うことができる。
【考案の効果】
【０００９】
すべての図に示すように、本考案の使用時には従来技術と比較して次のような利点が存在する：
一、使用者が前記ノズル板２３を取り出したいときは、上蓋２２を持ち上げるだけで前記横棒２２１を前記アーム部２１上の斜面２１１に当接させ、さらに前記ピン４を支点とした梃子の原理で前記ノズル板２３を容易に移動させ、前記ノズル板２３の交換を行うことができる。
二、操作者が前記ノズル板２３を交換したいとき、別途工具を必要とすることなくノズル板２３の交換の動作を完了できるため、操作者は取り外し用の工具を別途保管しておく必要はなく、ノズル板２３の交換時は梃子の原理を利用して一度に交換動作を完了することができる。
【考案を実施するための最良の形態】
【００１０】
上述の目的及び効果を達するため、本考案が採用する技術手段及び構造について、以下、図面と本考案の最良の実施例に基づき、その特徴と機能を詳細に説明する。
【００１１】
図２と図３に本考案の最良の実施例の立体図と立体分解図をそれぞれ示す。これらの図からはっきりと分かるように、本考案のエア交絡ノズル２は、殼体２０、アーム部２１、上蓋２２及びノズル板２３を含み、そのうち、前記殼体２０はあらかじめ定めた位置に弾性部２０１が形成され、前記弾性部２０１内に弾性部材３（例：バネ）が設置され、且つ前記弾性部２０１近くの位置に枢着部２０２が形成され、前記殼体２０上の前記枢着部２０２はピン４により前記アーム部２１及び前記上蓋２２と相互に枢着され、また前記アーム部２１の枢着位置近くに斜面２１１が形成され、さらに前記上蓋２２の一端に前記ノズル板２３の移動を制御できる横棒２２１が設置され、このほか、前記ノズル板２３の一端に前記横棒２２１を進入させ前記ノズル板２３に当接させて移動を行わせるための溝部２３１が形成される。
【００１２】
上述の構造、組み立て設計に基づき、本考案の使用作動状況について以下で説明する。同時に図４及び図５に本考案の最良の実施例の動作図１と２をそれぞれ示す。これらの図からはっきりとわかるように、上述の通り前記殼体２０、前記アーム部２１及び前記上蓋２２が前記ピン４で共に枢着され、前記ノズル板２３が前記アーム部２１の下方に位置し、且つ前記上蓋２２の前記横棒２２１が前記ノズル板２３上の溝部２３１に嵌入され、これにより、前記ノズル板２３を完全に固定することができ、機械動作時に振動によってずれが発生し、不良品が増加するのを回避することができる。
【００１３】
さらに、操作者が前記ノズル板２３を交換したいときは、前記上蓋２２に上方向の力を加えるだけで、同時に前記上蓋２２上に設置された前記横棒２２１が反時計回り方向に移動し、前記ノズル板２３が連動して押し出されるため、操作者は別途工具を必要とすることなく前記ノズル板２３を移動させて元の位置から離脱させることができる。
【００１４】
図６に本考案の最良の実施例の動作図３を示す。この図からはっきりとわかるように、前記上蓋２２にさらに後方に向かって力を加えると、前記横棒２２１があらかじめ定めた位置まで移動され、前記横棒２２１が前記ノズル板２３上に形成された溝部２３１から完全に離脱し、同時に前記横棒２２１が前記アーム部２１上の斜面２１１に当接され、さらに前記ピン４を支点として前記アーム部２１が上方向に移動され、同時に前記弾性部材３（例：バネ）の圧力が解放される。これにより、使用者が前記ノズル板２３を取り出したいとき、上述のように梃子の原理を利用して、容易に前記ノズル板２３を移動させ、前記ノズル板２３の交換を行うことができる。
【００１５】
以上の説明は本考案の最良の実施例に基づくものであり、本考案の特許範囲を制限するものではなく、本考案の明細書及び図面の内容を運用した簡易な修飾や同等効果の構造変化はすべて本考案の特許範囲内に含まれるものとする。
【００１６】
上述をまとめると、本考案のエア交絡ノズルはその使用時にその効果と目的を確実に達することができ、本考案は実用性に優れた創作であり、実用新案登録出願の要件を満たしているため、法に基づき出願を提出するものである。
【図面の簡単な説明】
【００１７】
【図１】従来の糸処理装置の立体図である。
【図２】本考案の最良の実施例の立体図である。
【図３】本考案の最良の実施例の立体分解図である。
【図４】本考案の最良の実施例の動作図１である。
【図５】本考案の最良の実施例の動作図２である。
【図６】本考案の最良の実施例の動作図３である。
【符号の説明】
【００１８】
１        糸処理装置
１０、２０    殼体
１０１、３    弾性部材
１１、２１    アーム部
１１０    押圧部
１１１    凸部
１２      押し棒
１３、２３    ノズル板
２        エア交絡ノズル
２０１    弾性部
２０２    枢着部
２１１    斜面
２２      上蓋
２２１    横棒
２３１    溝部
４        ピン
【図１】
0003144632.tif 000003
【図２】
0003144632.tif 000004
【図３】
0003144632.tif 000005
【図４】
0003144632.tif 000006
【図５】
0003144632.tif 000007
【図６】
0003144632.tif 000008